(57)【要約】【課題】外被押出成形時の樹脂圧を受けてもスロット溝を縦添えテープで被覆することができ、また、外被を剥ぎ取ってスロットコアから光ファイバを取り出す中間後分岐作業のし易い光ファイバケーブルを提供する。【解決手段】矩形断面形状とされたスロットコア１の中心に抗張力体２が埋設されると共に両スロットコア短辺１ａ、１ｂにそれぞれスロット溝３、４が形成され、該スロット溝内に光ファイバ５が収納され、該スロットコア全体を外被６で被覆してなる光ファイバケーブル。外被とスロットコアの間には、スロット溝を覆う縦添えテープ１１、１２が設けられ、該縦添えテープは、一方のスロット溝３と他方のスロット溝４をそれぞれ覆う２枚のテープからなり、各縦添えテープの幅をＷ、スロットコア短辺の長さをａ、スロットコア長辺の長さをｂとした時に、これらを所定の関係とした。【選択図】図１
2013171220.tif 000002
【特許請求の範囲】
【請求項１】
矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、
前記外被と前記スロットコアの間には、前記スロット溝を覆う縦添えテープが設けられ、該縦添えテープは、一方のスロット溝と他方のスロット溝をそれぞれ覆う２枚のテープからなり、各縦添えテープの幅をＷ、スロットコア短辺の長さをａ、スロットコア長辺の長さをｂとした時に、
ａ＋（３／２）ｂ≦Ｗ≦ａ＋２ｂ若しくは２ａ＋ｂ≦Ｗ≦ａ＋２ｂ
の何れかであることを特徴とする光ファイバケーブル。
【請求項２】
請求項１記載の光ファイバケーブルであって、
前記スロットコア長辺には、各縦添えテープの端部に接触して該縦添えテープの移動を阻止し且つ前記外被との融着部となる突起部がそれぞれ形成されている
ことを特徴とする光ファイバケーブル。
【請求項３】
矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、
前記外被と前記スロットコアの間には、前記スロット溝を覆う縦添えテープが設けられ、該縦添えテープは、一方のスロット溝と他方のスロット溝をそれぞれ覆う２枚のテープからなり、また、各スロットコア長辺には、縦添えテープの端部に接触して該縦添えテープの移動を阻止し且つ前記外被との融着部となる突起部がそれぞれ１つ形成されており、
前記各縦添えテープの幅をＷ、スロットコア短辺の長さをａ、スロットコア長辺の長さをｂ、スロットコア短辺の端から遠い突起部までの長さをｂ’、スロットコア短辺の端から近い突起部までの長さをｂ’’、突起部の幅をｃとした時に、
ａ＋ｂ’≦Ｗ≦ａ＋ｂ’＋ｂ’’＝ａ＋ｂ−ｃ
であることを特徴とする光ファイバケーブル。
【請求項４】
矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、
前記外被と前記スロットコアの間には、前記スロット溝を覆う縦添えテープが設けられ、該縦添えテープは、一方のスロット溝と他方のスロット溝をそれぞれ覆う２枚のテープからなり、また、各スロットコア長辺には、各縦添えテープの端部に接触して該縦添えテープの移動を阻止し且つ前記外被との融着部となる突起部がそれぞれ２つ形成されており、
前記各縦添えテープの幅をＷ、スロットコア短辺の長さをａ、スロットコア長辺の長さをｂ、スロットコア短辺の端から近い突起部までの長さをｂ’’、突起部の幅をｃとした時に、
ａ＋ｂ’’≦Ｗ≦ａ＋２ｂ’’
であることを特徴とする光ファイバケーブル。
【請求項５】
請求項２、３、４に記載の光ファイバケーブルであって、
前記各スロットコア長辺に形成された突起部は、前記スロットコアの中心を中心点とした点対象位置に設けられている
ことを特徴とする光ファイバケーブル。
【請求項６】
請求項４記載の光ファイバケーブルであって、
前記各スロットコア長辺にそれぞれ２つ設けられた突起部は、スロットコアの中心を通りスロットコア長辺に垂直な線を挟んで対象位置に設けられている
ことを特徴とする光ファイバケーブル。
【請求項７】
請求項２〜５の何れかに記載の光ファイバケーブルであって、
前記スロットコア長辺には、外被引き裂き用のノッチが形成されており、そのノッチの位置を、前記ノッチの底部から前記スロットコア長辺までの垂直距離よりも前記突起部までの距離が長くなる位置に設けた
ことを特徴とする光ファイバケーブル。
【発明の詳細な説明】
【技術分野】
【０００１】
本発明は、ビル等の構内配線に使用される光ファイバケーブルに関する。
【背景技術】
【０００２】
例えば、ビル等の構内配線に使用される光ファイバケーブルには、既存の電話線が配線されたＣＤ管への追加敷設作業に適した構造と、任意の階での活線を含むケーブルを中間分岐して内部の光ファイバを取り出し、その階に引き込む中間後分岐作業のし易さが求められる。
【０００３】
例えば、スロットコアに二つの溝を形成し、そのスロットコア全周を外被と熱融着しない縦添えテープで被覆し、外被にはスロットコア用樹脂に比べて融点の高い樹脂材を用いることで、外被とスロットコアとの分離性を容易にした光ファイバケーブルが用いられる。
【０００４】
この光ファイバケーブルにおいて、１枚の縦添えテープでスロットコア全周を覆う場合、スロットコアよりも大きく形付けられた縦添えテープを使用すると、スロットコアに縦添えテープを密着させた際に生じる余剰分がスロット溝内に落ち込み、光ファイバの伝送特性に影響を与えることがある。また、縦添えテープは、外被の押出成形時における樹脂圧でスロットコア周上を移動してしまい、外被表面側に折れ曲がり、光ファイバケーブルの機械強度を大きく低下させる原因となり得ることもある。
【０００５】
そこで、これらの課題を解決すべく２枚の縦添えテープを使用した光ファイバケーブルが提案されている（例えば、特許文献１等に記載）。
【先行技術文献】
【特許文献】
【０００６】
【特許文献１】特開２００９−２７１３４８号公報
【発明の概要】
【発明が解決しようとする課題】
【０００７】
しかし、２枚の縦添えテープを使用した場合でも、やはり樹脂圧で縦添えテープがスロットコア周上を移動してしまうため、スロット溝の真上に縦添えテープが必ずしも位置するとは限らない。そのため、スロット溝内に収納された光ファイバの一部が直接外被と接触またはスロット溝から外れてしまい、伝送特性に大きく影響を与えてしまう。
【０００８】
そこで、本発明は、外被押出成形時の樹脂圧を受けてもスロット溝を縦添えテープで被覆することができ、また、外被を剥ぎ取ってスロットコアから光ファイバを取り出す中間後分岐作業のし易い光ファイバケーブルを提供することを目的とする。
【課題を解決するための手段】
【０００９】
第１の発明は、矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、
前記外被と前記スロットコアの間には、前記スロット溝を覆う縦添えテープが設けられ、該縦添えテープは、一方のスロット溝と他方のスロット溝をそれぞれ覆う２枚のテープからなり、各縦添えテープの幅をＷ、スロットコア短辺の長さをａ、スロットコア長辺の長さをｂとした時に、
ａ＋（３／２）ｂ≦Ｗ≦ａ＋２ｂ若しくは２ａ＋ｂ≦Ｗ≦ａ＋２ｂ
の何れかであることを特徴としている。
【００１０】
第２の発明は、第１の発明において、前記スロットコア長辺には、各縦添えテープの端部に接触して該縦添えテープの移動を阻止し且つ前記外被との融着部となる突起部がそれぞれ形成されていることを特徴としている。
【００１１】
第３の発明は、矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、前記外被と前記スロットコアの間には、前記スロット溝を覆う縦添えテープが設けられ、該縦添えテープは、一方のスロット溝と他方のスロット溝をそれぞれ覆う２枚のテープからなり、また、各スロットコア長辺には、縦添えテープの端部に接触して該縦添えテープの移動を阻止し且つ前記外被との融着部となる突起部がそれぞれ１つ形成されており、前記各縦添えテープの幅をＷ、スロットコア短辺の長さをａ、スロットコア長辺の長さをｂ、スロットコア短辺の端から遠い突起部までの長さをｂ’、スロットコア短辺の端から近い突起部までの長さをｂ’’、突起部の幅をｃとした時に、
ａ＋ｂ’≦Ｗ≦ａ＋ｂ’＋ｂ’’＝ａ＋ｂ−ｃ
であることを特徴としている。
【００１２】
第４の発明は、矩形断面形状とされたスロットコアの中心に抗張力体がケーブル長手方向に延在して埋設されると共に両スロットコア短辺にそれぞれケーブル長手方向に延在するスロット溝が形成され、該スロット溝内に光ファイバが収納されており、該スロットコア全体を外被で被覆してなる光ファイバケーブルにおいて、前記外被と前記スロットコアの間には、前記スロット溝を覆う縦添えテープが設けられ、該縦添えテープは、一方のスロット溝と他方のスロット溝をそれぞれ覆う２枚のテープからなり、また、各スロットコア長辺には、各縦添えテープの端部に接触して該縦添えテープの移動を阻止し且つ前記外被との融着部となる突起部がそれぞれ２つ形成されており、前記各縦添えテープの幅をＷ、スロットコア短辺の長さをａ、スロットコア長辺の長さをｂ、スロットコア短辺の端から近い突起部までの長さをｂ’’、突起部の幅をｃとした時に、
ａ＋ｂ’’≦Ｗ≦ａ＋２ｂ’’
であることを特徴としている。
【００１３】
第５の発明は、第２、３、４の発明において、前記各スロットコア長辺に形成された突起部は、前記スロットコアの中心を中心点とした点対象位置に設けられていることを特徴としている。
【００１４】
第６の発明は、第４の発明において、前記各スロットコア長辺にそれぞれ２つ設けられた突起部は、スロットコアの中心を通りスロットコア長辺に垂直な線を挟んで対象位置に設けられていることを特徴としている。
【００１５】
第７の発明は、請求項２〜５の何れかに記載の光ファイバケーブルであって、前記スロットコア長辺には、外被引き裂き用のノッチが形成されており、そのノッチの位置を、前記ノッチの底部から前記スロットコア長辺までの垂直距離よりも前記突起部までの距離が長くなる位置に設けたことを特徴としている。
【発明の効果】
【００１６】
第１の発明の光ファイバケーブルによれば、一方のスロット溝と他方のスロット溝をそれぞれの縦添えテープで覆う２枚のテープ幅を、矩形断面形状としたスロットコアの短辺及び長辺の長さに対して適正な寸法関係とすることで、外被押出成形時の樹脂圧で縦添えテープが例え移動してもこの縦添えテープでスロット溝を覆うことができる。このため、外被樹脂がスロット溝内に入り込まないので、中間後分岐作業時にスロット溝内の光ファイバを取り出し易く、しかも光ファイバの伝送特性に影響を与えることも無い。
【００１７】
第２及び第３の光ファイバケーブルによれば、スロットコア長辺に、縦添えテープの端部に接触してこの縦添えテープの移動を阻止且つ外被との融着部となる突起部が設けられているので、外被押出成形時の樹脂圧が縦添えテープに作用しても、前記突起部に当たって縦添えテープの移動が阻止される。このため、各スロット溝はそれぞれの縦添えテープで被覆されることになり、外被樹脂のスロット溝内への侵入が防止され、中間後分岐作業時にスロット溝内の光ファイバを取り出し易くなる。
【図面の簡単な説明】
【００１８】
【図１】図１は第１の発明の光ファイバケーブルの断面図である。
【図２】図２は第１の発明の光ファイバケーブルにおける縦添えテープの長さを調整した各形態の断面図である。
【図３】図３はスロットコア長辺に突起部が形成された光ファイバケーブルの断面図である。
【図４】図４はスロットコア長辺に形成した突起部と外被に形成したノッチの位置関係を各形態別に示す要部拡大断面図である。
【図５】図５はスロットコアの中心を通りスロットコア長辺に垂直な線を挟んで同じ側に各スロットコア長辺に設けた突起部を形成した比較例の光ファイバケーブルの断面図である。
【図６】図６は第２の発明の光ファイバケーブルの断面図である。
【図７】図７は第２の発明の光ファイバケーブルにおける縦添えテープの長さを調整した各形態の断面図である。
【図８】図８は第３の発明の光ファイバケーブルの断面図である。
【図９】図９は第３の発明の光ファイバケーブルにおける縦添えテープの長さを調整した各形態の断面図である。
【発明を実施するための形態】
【００１９】
以下、本発明を適用した具体的な実施形態について図面を参照しながら詳細に説明する。
【００２０】
［第１実施形態］
第１実施形態の光ファイバケーブルは、図１に示すように、矩形断面形状とされたスロットコア１の中心Ｏに抗張力体２がケーブル長手方向に延在して埋設されると共に両スロットコア短辺１ａ、１ｂにそれぞれケーブル長手方向に延在するスロット溝３、４が形成され、該スロット溝３、４内に光ファイバ５が収納されており、該スロットコア１全体を外被６で被覆してなる構造とされている。
【００２１】
スロットコア１は、長方形状をなす矩形断面形状とされ、ケーブル長手方向に延在している。このスロットコア１の短辺（以下、スロットコア短辺という）１ａ、１ｂには、ケーブル長手方向に断面Ｕ字状のスロット溝３、４が延在するように形成されている。スロット溝３、４は、各スロットコア短辺１ａ、１ｂから抗張力体２に向かってその溝深さを深くし、底部の形状を半円弧状としている。
【００２２】
抗張力体２は、スロットコア１の中心Ｏに設けられ、ケーブル長手方向に延在している。抗張力体２には、例えば銅線等の金属線や繊維強化プラスチック（ＦＲＰ）等の断面円形状のケーブルが使用される。
【００２３】
光ファイバ５は、例えば外径約125μｍの石英系光ファイバを紫外線硬化性樹脂等で被覆した外径約250μｍの光ファイバ素線や光ファイバ素線の外周面に補強用として、熱可塑性樹脂や紫外線硬化性樹脂等で被覆（オーバーコート）した、外径約500μｍや外径約900μｍの光ファイバ心線または光ファイバ素線を並列に配置し、紫外線硬化性樹脂等で一括被覆した光ファイバテープ心線である。図１の光ファイバ５は、各スロット溝３，４内に複数本集合して実装される。
【００２４】
外被６は、スロットコア１に対して押出成形することで、このスロットコア１の全周を覆うようにして形成されている。外被６には、スロットコア１の中心Ｏを通るスロットコア長辺方向の線Ｘ（この線を以下、ケーブル中立線という）上にテンションメンバ７、８が設けられている。テンションメンバ７、８は、各スロット溝３、４と対向する外被６の部位にそれぞれスロットコア１に設けられた抗張力体２よりも細い抗張力体としてケーブル長手方向に沿って埋設されている。
【００２５】
また、外被６には、抗張力体２の中心に向かって先端が尖った断面Ｖ字状のノッチ９、１０がケーブル長手方向に延在するように形成されている。ノッチ９、１０は、中間後分岐時に外被６を引き裂く外被引き裂き用のＶ溝である。かかるノッチ９、１０は、スロットコア１の中心Ｏを通りケーブル中立線Ｘと垂直な線Ｙ上に形成される。
【００２６】
前記外被６と前記スロットコア１の間には、スロット溝３、４を覆う縦添えテープ１１、１２が設けられている。縦添えテープ１１、１２は、一方のスロット溝３と他方のスロット溝４をそれぞれ覆う２枚のテープからなる。かかる縦添えテープ１１、１２は、スロットコア１に外被６を押出成形する際に、該外被６の樹脂がスロット溝３、４内に入り込まないようにする役目をし、また、中間後分岐時にスロットコア１から外被６を容易に剥ぎ取れるようにする役目をする。
【００２７】
前記縦添えテープ１１、１２は、外被６の被覆時における樹脂圧によりスロットコア周上を移動してスロット溝３、４を覆う位置からずれてしまう場合がある。スロット溝３、４が縦添えテープ１１、１２で覆われていないと、スロット溝３、４内の光ファイバ５の一部が直接外被６と接触またはスロット溝３、４から外れてしまい、伝送特性に大きく影響が生じる。
【００２８】
そこで、本実施形態では、縦添えテープ１１、１２の幅をＷ、スロットコア短辺１ａ、１ｂの長さをａ、スロットコア長辺１ｃ、１ｄの長さをｂとした時に、
ａ＋（３／２）ｂ≦Ｗ≦ａ＋２ｂ（但し、ａ≦１ｂ／２の時）若しくは２ａ＋ｂ≦Ｗ≦ａ＋２ｂ（但し、１ｂ／２＜ａの時）…（関係式１）
の何れかの関係となるように設定することで、前記課題を解決している。
【００２９】
前記関係式１のうち、Ｗ＝２ａ＋ｂである場合の縦添えテープ１１、１２の配置状態は、図２（ａ）に示す通りである。この場合、２つのスロット溝３、４は、何れも２枚の縦添えテープ１１、１２で覆われた形態となる。また、前記関係式１のうち、２ａ＋ｂ＜Ｗ＜ａ＋２ｂまたはａ＋（３／２）ｂ＜Ｗ＜ａ＋２ｂである場合の縦添えテープ１１、１２の配置状態は、図２（ｂ）に示す通りである。この場合、一方のスロット溝３は一方の縦添えテープ１１で覆われ、他方のスロット溝４は他方の縦添えテープ１２で覆われた形態となる。また、前記関係式１のうち、Ｗ＝ａ＋２ｂである場合の縦添えテープ１１、１２の配置状態は、図２（ｃ）に示す通りである。この場合、一方の縦添えテープ１１は一方のスロット溝３を覆うと共に両スロットコア長辺１ｃ、１ｄの全体を覆い、他方の縦添えテープ１２も同様に他方のスロット溝４を覆うと共に両スロットコア長辺１ｃ、１ｄの全体を覆う形態となる。
【００３０】
このように、前記関係式１とすることで、スロットコア１に外被６を押出成形しても樹脂圧で縦添えテープ１１、１２がスロットコア周上を移動しても必ずスロット溝３、４を被覆できるようになる。そのため、光ファイバ５が直接外被６と接触するのを回避することができると共にスロット溝３、４からのはみ出しも防止することができ、伝送特性の影響を抑制することが可能となる。
【００３１】
この第１実施形態の光ファイバケーブルにおいて、ケーブル敷設時や中間後分岐時に外被６を剥ぎ取った際にスロットコア１が引き抜けないようにするために、スロットコア長辺１ｃ、１ｄに突起部１３、１４を形成する。図３は、突起部１３、１４を設けた場合の一例を示している。
【００３２】
突起部１３、１４は、両スロットコア長辺１ｃ、１ｄに外被６へ向かって突出する断面形状を山形とした突条としてケーブル長手方向に沿って形成されている。この突起部１３、１４は、その先端部分の目付けを少なくすることで、突起先端部分が少量の熱量で温度上昇して融点に達するため、外被被覆時の熱により突起先端部分が溶融して外被６に対して熱融着される。その結果、スロットコア１は、突起部先端と外被６との熱融着による固定で中間後分岐時に引き抜けが防止される。
【００３３】
また、突起部１３、１４は、各縦添えテープ１１、１２の端部に接触して該縦添えテープ１１、１２の移動を阻止する。つまり、スロットコア１に外被６を押出成形した際に、樹脂圧で縦添えテープ１１、１２がスロットコア周上を移動するのを前記突起部１３、１４が防止する。図３の例では、各縦添えテープ１１、１３の両端部の何れもが突起部１３、１４に接触しているので、どちらの方向にも縦添えテープ１１、１３の移動を防止することができる。
【００３４】
前記突起部１３、１４と前記ノッチ９、１０との位置関係は、次なる関係とすることが望ましい。中間後分岐時において、ノッチ９、１０から外被６を引き裂いて外被６とスロットコア１とを剥離する際に、例えば図４（ａ）のようにノッチ９の真下に突起部１３を配置してしまうと、ノッチ９の底部から生じる亀裂１５はスロットコア１までの最短距離を走る。つまり、亀裂１５は、ノッチ９の底部から突起部１３の先端に向かって走ることになる。突起部１３の先端部分は、外被６と熱融着されている。このため、この例では、外被６と突起部１３の先端部分の熱融着箇所を剥離する必要がある。
【００３５】
また、図４（ｂ）に示すように、ノッチ９の真下に突起部１３が無い場合でもノッチ９の底部からの亀裂１５が外被６と熱融着している突起部１３の先端部分に走れば図４（ａ）と同様になる。そこで、図４（ｃ）に示すように、ノッチ９の底部からスロットコア長辺１ｃまでの垂直距離よりも前記突起部１３までの距離が長くなる位置にノッチ９を設けるようにする。同図中、線Ａは、ノッチ９の底部からスロットコア長辺１ｃまでの垂直距離を半径とする円弧である。なお、図４では、一方のノッチ９と突起部１３との関係を示したが、他方のノッチ１０と他方の突起部１４との関係も同じである。
【００３６】
図４（ｃ）に示すように、ノッチ９、１０の底部からスロットコア長辺１ｃ、１ｄまでの垂直距離よりも突起部１３、１４までの距離が長くなる位置にノッチ９、１０を設けることで、中間後分岐時に亀裂１５が突起部１３、１４に向かうことなくスロットコア長辺１ｃ、１ｄと垂直な方向に走ることから、外被６をスロットコア１から剥ぎ取り易くなる。
【００３７】
各スロットコア長辺１ｃ、１ｄに設けられた２つの突起部１３、１４は、スロットコア１の中心Ｏを中心点とした点対称位置に設けることが望ましい。例えば、図５に示すように、２つの突起部１３、１４が何れもスロットコア１の中心Ｏを通りケーブル中立線Ｘと垂直な線Ｙに対して片側に形成されていると、これら２つの突起部１３、１４の突起先端部との融着により、突起部１３、１４が設けられている片側の外被６の剥離が困難になる。また、この場合、２枚の縦添えテープ１１、１２のそれぞれの幅が異なるものを使用しなくてはならず、同一サイズの縦添えテープ１１、１２を使用できなくなり、コスト面で悪化する。
【００３８】
そこで、図３で示した如く各スロットコア長辺１ｃ、１ｄに設けられた２つの突起部１３、１４をスロットコア１の中心Ｏを中心点とした点対称位置に設ければ、中間後分岐時における外被６の剥ぎ取り作業が容易になる。また、２枚の縦添えテープ１１、１２のテープ幅を同じにすることができるため、同一寸法形状の縦添えテープ１１、１２を使用することができ、テープ構成材料の種類の削減によるコスト低減を実現できる。
【００３９】
また、外被６を剥離するのに要する力は、突起部１３、１４の外被６に対する熱融着部における面積に依存するため、突起部１３、１４の大きさを、外被６の剥離が困難でないような任意の値にする。また、この突起部１３、１４の大きさ及び形状を適宜設定することで、外被６と突起部１３、１４を熱融着させながらも外被６との剥離も可能となる。例えば、突起部１３、１４の高さが０．２ｍｍ〜０．３ｍｍ、突起部１３、１４の幅が０．１ｍｍ〜０．６ｍｍの範囲で、形状は三角形のように突起先端部が３０°〜９０°の角度であることが望ましい。なお、突起部１３、１４の高さと幅が同様であるならば、Ｕ字のように先端が円弧形状であっても構わない。先端角度が３０°未満であると、スロットコア１の成形が困難であるばかりか、外被６の被覆時にライン上で突起部１３、１４が破損する可能性が高い。
【００４０】
［第２実施形態］
図６は第２実施形態の光ファイバケーブルの断面図である。第２実施形態の光ファイバケーブルは、基本的な構造は第１実施形態の図３で示した光ファイバケーブルと同様の構造であるが、以下の点が異なっている。
【００４１】
すなわち、各縦添えテープ１１、１３の幅をＷ、スロットコア短辺１ａ、１ｂの長さをａ、スロットコア長辺１ｃ、１ｄの長さをｂ、スロットコア短辺１ａ、１ｂの端から遠い突起部１３、１４までの長さをｂ’、スロットコア短辺１ａ、１ｂの端から近い突起部１３、１４までの長さをｂ’’、突起部１３、１４の幅をｃとした時に、
ａ＋ｂ’≦Ｗ≦ａ＋ｂ’＋ｂ’’＝ａ＋ｂ−ｃ…（関係式２）
なる関係としている。
【００４２】
前記関係式２のうち、Ｗ＝ａ＋ｂ’である場合の縦添えテープ１１、１２の配置状態は、図７（ａ）に示す通りである。この場合、一方の縦添えテープ１１は、これに対応する一方のスロット溝３を覆うと共に一方のスロットコア長辺１ｄを覆っている。他方の縦添えテープ１２は、これに対応する他方のスロット溝４を覆うと共に他方のスロットコア長辺１ｃを覆っている。また、前記関係式２のうち、ａ＋ｂ’＜Ｗ＜ａ＋ｂ’＋ｂ’’＝ａ＋ｂ−ｃである場合の縦添えテープ１１、１２の配置状態は、図７（ｂ）に示す通りである。この場合、図７（ａ）の状態から更に一方の縦添えテープ１１が他方のスロットコア長辺１ｃの一部まで覆い、同様に、他方の縦添えテープ１２が一方のスロットコア長辺１ｄの一部まで覆っている。
【００４３】
また、前記関係式２のうち、Ｗ＝ａ＋ｂ’＋ｂ’’＝ａ＋ｂ−ｃである場合の縦添えテープ１１、１２の配置状態は、図７（ｃ）に示す通りである。この場合、一方の縦添えテープ１１は、一方のスロット溝３を覆うと共にそのテープ両端をそれぞれの突起部１３、１４に接触または接近させている。同様に、他方の縦添えテープ１２は、他方のスロット溝４を覆うと共にそのテープ両端をそれぞれの突起部１３、１４に接触または接近させている。
【００４４】
このように、前記関係式２とすることで、スロットコア１に外被６を押出成形しても樹脂圧で縦添えテープ１１、１２がスロットコア周上を移動しても必ずスロット溝３、４を被覆できるようになる。そのため、光ファイバ５が直接外被６と接触するのを回避することができると共にスロット溝３、４からのはみ出しも防止することができ、伝送特性の影響を抑制することが可能となる。また、この第２実施形態の光ファイバケーブルによれば、中間後分岐作業において外被６の剥離作業が容易に行えると共にスロットコア１の引き抜けも回避することができる。
【００４５】
［第３実施形態］
図８は第３実施形態の光ファイバケーブルの断面図である。第３実施形態の光ファイバケーブルは、基本的な構造は第２実施形態の図６で示した光ファイバケーブルと同様の構造であるが、以下の点が異なっている。
【００４６】
すなわち、各スロットコア長辺１ｃ、１ｄには、各縦添えテープ１１、１２の端部に接触して該縦添えテープ１１、１２の移動を阻止し且つ外被６との融着部となる突起部１３、１４がそれぞれ２つ形成されている。そして、各縦添えテープ１１、１２の幅をＷ、スロットコア短辺１ａ、１ｂの長さをａ、スロットコア長辺１ｃ、１ｄの長さをｂ、スロットコア短辺１ａ、１ｂの端から近い突起部１３、１４までの長さをｂ’’、突起部１３、１４の幅をｃとした時に、
ａ＋ｂ’’≦Ｗ≦ａ＋２ｂ’’…（関係式３）
なる関係としている。
【００４７】
先の第２実施形態では、突起部１３、１４の数が２つであるが、第３実施形態では、中間後分岐時に外被６の剥離が容易で且つスロットコア１が引き抜けないことが満たされれば、前記線Ｙを挟んだ反対側に突起部１３、１４の数を増やしてもよい。もちろん、各スロットコア長辺１ｃ、１ｄにそれぞれ２つ設けられた突起部１３、１４は、スロットコア１の中心Ｏを通りスロットコア長辺１ｃ、１ｄに垂直な線Ｙを挟んで対象位置に設けられている。
【００４８】
前記関係式３のうち、Ｗ＝ａ＋ｂ’’である場合の縦添えテープ１１、１２の配置状態は、図９（ａ）に示す通りである。この場合、一方の縦添えテープ１１は、これに対応する一方のスロット溝３を覆うと共に一方のスロットコア長辺１ｄを覆っている。他方の縦添えテープ１２は、これに対応する他方のスロット溝４を覆うと共に他方のスロットコア長辺１ｃを覆っている。また、前記関係式３のうち、ａ＋ｂ’’＜Ｗ＜ａ＋２ｂ’’である場合の縦添えテープ１１、１２の配置状態は、図９（ｂ）に示す通りである。この場合、図９（ａ）の状態から更に一方の縦添えテープ１１が他方のスロットコア長辺１ｃの一部まで覆い、同様に、他方の縦添えテープ１２が一方のスロットコア長辺１ｄの一部まで覆っている。
【００４９】
また、前記関係式３のうち、Ｗ＝ａ＋２ｂ’’である場合の縦添えテープ１１、１２の配置状態は、図９（ｃ）に示す通りである。この場合、一方の縦添えテープ１１は、一方のスロット溝３を覆うと共にそのテープ両端をそれぞれの突起部１３、１４に接触または接近させている。同様に、他方の縦添えテープ１２は、他方のスロット溝４を覆うと共にそのテープ両端をそれぞれの突起部１３、１４に接触または接近させている。
【００５０】
このように、前記関係式３とすることで、スロットコア１に外被６を押出成形しても樹脂圧で縦添えテープ１１、１２がスロットコア周上を移動しても必ずスロット溝３、４を被覆できるようになる。そのため、光ファイバ５が直接外被６と接触するのを回避することができると共にスロット溝３、４からのはみ出しも防止することができ、伝送特性の影響を抑制することが可能となる。また、この第３実施形態の光ファイバケーブルによれば、中間後分岐作業において外被６の剥離作業が容易に行えると共にスロットコア１の引き抜けも回避することができる。
【産業上の利用可能性】
【００５１】
本発明は、矩形断面形状とされたスロットコアのスロット溝を縦添えテープで覆って外被で被覆してなる光ファイバケーブルに利用することができる。
【符号の説明】
【００５２】
１  スロットコア
１ａ、１ｂ  スロットコア短辺
１ｃ、１ｄ  スロットコア長辺
２  抗張力体
３、４  スロット溝
５  光ファイバ
６  外被
７、８  テンションメンバ
９、１０  ノッチ
１１、１２  縦添えテープ
１３、１４  突起部
１５  亀裂
【図１】
2013171220.tif 000003
【図２】
2013171220.tif 000004
【図３】
2013171220.tif 000005
【図４】
2013171220.tif 000006
【図５】
2013171220.tif 000007
【図６】
2013171220.tif 000008
【図７】
2013171220.tif 000009
【図８】
2013171220.tif 000010
【図９】
2013171220.tif 000011